(57)【要約】【課題】要求される光学特性を満足しつつ、光学部の最大厚さ寸法を抑えることが可能とされて、眼内への挿入時に折り曲げやすい、新規な構造の眼内レンズおよび眼内レンズの新規な製造方法を提供する。【解決手段】曲げ変形可能な軟質材で形成されたディスク状の光学部１２を備えた眼内レンズの製造方法であって、前記光学部１２への前面１６からの入射光線の経路に基づいて、予め設定した前面の有効光学部径から後面の有効光学部径を求めて、それら前面および後面の有効光学部径を設定することにより、該前面の有効光学部径より該後面の有効光学部径を小さくした形状をもって前記光学部１２を形成することを特徴とする。【選択図】図２
2015051069.tif 000002
【特許請求の範囲】
【請求項１】
曲げ変形可能な軟質材で形成されたディスク状の光学部を備えた眼内レンズにおいて、
前記光学部における前面の有効光学部径に比して後面の有効光学部径が小さいことを特徴とする眼内レンズ。
【請求項２】
前記光学部から外周に延び出す支持部が、該光学部と一体的に前記軟質材で形成されている請求項１に記載の眼内レンズ。
【請求項３】
前記光学部における前記前面の有効光学部径が、該光学部の外径寸法に比して小さい請求項１又は２に記載の眼内レンズ。
【請求項４】
前記光学部における厚さ寸法の最小値が０．１０〜０．５０ｍｍとされている請求項１〜３の何れか一項に記載の眼内レンズ。
【請求項５】
前記光学部における最外周縁部の厚さ寸法に対して、前記後面の有効光学部の外周縁部の厚さ寸法が実質的に同じとされている請求項１〜４の何れか一項に記載の眼内レンズ。
【請求項６】
前記光学部を形成する前記軟質材における１００％歪み割線弾性率が０．１〜５．０ＭＰａである請求項１〜５の何れか一項に記載の眼内レンズ。
【請求項７】
曲げ変形可能な軟質材で形成されたディスク状の光学部を備えた眼内レンズの製造方法であって、
前記光学部への前面からの入射光線の経路に基づいて、予め設定した前面の有効光学部径から後面の有効光学部径を求めて、それら前面および後面の有効光学部径を設定することにより、該前面の有効光学部径より該後面の有効光学部径を小さくした形状をもって前記光学部を形成することを特徴とする眼内レンズの製造方法。
【発明の詳細な説明】
【技術分野】
【０００１】
本発明は、人眼に埋植されて用いられる眼内レンズおよび眼内レンズの製造方法に関する。
【背景技術】
【０００２】
従来から、白内障患者等の人眼における水晶体の機能を補完や代替等する目的で、人眼に埋植されて用いられる眼内レンズが知られている。例えば特開２００５−０２１２７５号公報（特許文献１）や特許第３２４９５３１号公報（特許文献２）に記載のものが、それであり、眼内に埋植されて眼球内の光路上に配される光学部を備えている。
【０００３】
ところで、このような眼内レンズの施術は、水晶体嚢の前面に設けた穴を通じて水晶体を取り除いた後に眼内レンズを水晶体嚢に挿入することによって行われる。そして、これらの水晶体嚢に対する操作は、人眼の角膜外周部分の切開創を通じて行われる。
【０００４】
このような施術に際しては、患者の負担を抑えると共に角膜ゆがみを防止する等の目的から、切開創を小さくすることが望ましい。そこで、上述の特許文献１，２にも記載されているように、曲げ変形可能な軟質材からなる光学部を備えた眼内レンズが提案されており、光学部を屈曲等させた状態で小さな切開創から眼内に挿し入れるようになっている。
【０００５】
ところが、眼内レンズは、水晶体の光学特性に対応してプラス側に大きなディオプター値を有していること等の理由から、凸レンズ形状となって中央部分の肉厚寸法が大きくなりやすい。そのために、軟質材で光学部を形成しても折り曲げ難く、眼内への挿入に際して十分に小さくすることが難しい場合があった。
【先行技術文献】
【特許文献】
【０００６】
【特許文献１】特開２００５−０２１２７５号公報
【特許文献２】特許第３２４９５３１号公報
【発明の概要】
【発明が解決しようとする課題】
【０００７】
本発明は上述の如き事情を背景として為されたものであり、その解決課題とするところは、要求される光学特性を満足しつつ、光学部の最大厚さ寸法を抑えることが可能とされて、眼内への挿入時に折り曲げやすい、新規な構造の眼内レンズおよび眼内レンズの新規な製造方法を提供することにある。
【課題を解決するための手段】
【０００８】
本発明の第一の態様は、曲げ変形可能な軟質材で形成されたディスク状の光学部を備えた眼内レンズであって、前記光学部における前面の有効光学部径に比して後面の有効光学部径が小さい眼内レンズを、特徴とする。
【０００９】
本発明者は、光学部のレンズ前面に入射する光線の入射位置に比して、光学部のレンズ後面から出射する光線の出射位置が、光学部における光線の屈折作用によりレンズ径方向内方へ偏倚する特性に着目した。即ち、前面の有効光学部径を確保すれば、後面の有効光学部径をより小さくしても、光学部において必要とされる光学径を有効に確保することができる。そして、凸形の略球状面とされるレンズ後面は、その外径寸法を小さくすることで、外周縁部において強度確保などから要求される最小厚さを確保しつつ、中央部分における厚さ寸法を小さく抑えることが可能になる。
【００１０】
従って、本発明に従う構造とされた眼内レンズでは、前面の有効光学部径を後面の有効光学部径より大きくすることで光学部に必要とされる光学径を確保しつつ、後面の有効光学部径を前面の有効光学部径より小さくすることで光学部の中央部分における最大厚さ寸法を小さく抑えることが可能になるのである。
【００１１】
本発明の第二の態様は、第一の態様に係る眼内レンズにおいて、前記光学部から外周に延び出す支持部が、該光学部と一体的に前記軟質材で形成されているものである。
【００１２】
本態様に従う構造とされた眼内レンズは、光学部と支持部を含めて屈曲等させて小さくした状態で眼内に挿入することができるから、より小さな切開創で施術することが可能になる。
【００１３】
本発明の第三の態様は、第一又は第二の態様に係る眼内レンズであって、前記光学部における前記前面の有効光学部径が、該光学部の外径寸法に比して小さくされているものである。
【００１４】
本態様に従う構造とされた眼内レンズは、後面だけでなく前面でも有効光学部径が光学部に比して小さくされることで、前後面の協働作用により、光学部径に比して中央部分の最大厚さを更に容易に抑えやすい。しかも、光学部の外周部分に眼光学系への光学機能が要求されない領域が形成され得ることから、この外周部分を利用して、例えば施術者が視認しやすい粗面領域などを設けることも可能となる。そして、かかる粗面領域等を形成するに際しても、光学部の大径化に伴うレンズ最大厚さの増大を抑えて、眼内挿入時に小さく折り曲げることも可能になるのである。
【００１５】
本発明の第四の態様は、第一〜三の何れかの態様に係る眼内レンズであって、前記光学部における厚さ寸法の最小値が０．１０〜０．５０ｍｍとされているものである。
【００１６】
本態様に従う構造とされた眼内レンズは、光学部の外周部分の厚さ寸法が特定範囲内に設定されることにより、特に薄肉となる光学部の外周部分の強度を確保しつつ、光学部の中央部分における厚さ寸法の増大を抑えることができる。なお、光学部の厚さ寸法の最小値は、光学部の外周部分に設定されることとなり、より好適には０．１５〜０．４５ｍｍの範囲内に設定される。
【００１７】
本発明の第五の態様は、第一〜四の何れかの態様に係る眼内レンズであって、前記光学部における最外周縁部の厚さ寸法に対して、前記後面の有効光学部の外周縁部の厚さ寸法が実質的に同じとされているものである。
【００１８】
本態様に従う構造とされた眼内レンズは、後面の有効光学部の外周縁部よりも外周側においてレンズ厚さが過度に小さくなることが防止されて、レンズの強度や耐久性も良好に確保され得る。なお、実質的に同じとは、機能的に同様な範囲であり、後面の有効光学部の外周縁部の厚さ寸法が、光学部の外周縁部の厚さ寸法の±２０％の範囲内であれば良い。
【００１９】
本発明の第六の態様は、第一〜五の何れかの態様に係る眼内レンズであって、前記光学部を形成する前記軟質材における１００％歪み割線弾性率が０．１〜５．０ＭＰａとされているものである。
【００２０】
本態様に従う構造とされた眼内レンズは、本発明に従うレンズ前後面の有効光学部径の差に基づいて最大厚さ寸法が抑えられることと相俟って、特定範囲の軟質特性を有することにより、施術者が取り扱い易く、且つ、より小さく折り曲げて眼内に挿入することも可能になる。
【００２１】
また、本発明は、曲げ変形可能な軟質材で形成されたディスク状の光学部を備えた眼内レンズの製造方法であって、前記光学部への前面からの入射光線の経路に基づいて、予め設定した前面の有効光学部径から後面の有効光学部径を求めて、それら前面および後面の有効光学部径を設定することにより、該前面の有効光学部径より該後面の有効光学部径を小さくした形状をもって前記光学部を形成する眼内レンズの製造方法も、特徴とする。
【００２２】
本発明方法に従えば、光学部における光線の屈折作用を考慮して、必要とされる光学径を有効に確保しつつ、後面の有効光学部径をより小さくすることで、外周縁部の必要最小厚さを確保しつつ、中央部分における厚さ寸法を小さく抑えることが可能になる。
【発明の効果】
【００２３】
本発明では、光学部への入射光線の屈折作用による前面への入射位置と後面からの出射位置が径方向で偏倚する特性に、新たに着目した。そして、前面の有効光学部径で必要とされる光学系を確保しつつ、後面の有効光学部径を小さく設定する新規な構成を採用することで、中央部分におけるレンズ最大厚さ寸法を抑えることを可能と為し得た。
【００２４】
これにより、レンズの光学特性を満足せしめつつ、屈曲等の変形が一層容易とされた眼内レンズが実現可能となり、例えば施術時の角膜外周部分における切開創をより小さく抑えることも可能になる。
【図面の簡単な説明】
【００２５】
【図１】本発明の一実施形態としての眼内レンズの正面図。
【図２】図１におけるＩＩ−ＩＩ断面図。
【図３】本発明に従う眼内レンズの製造方法における光学系の設定工程の一態様を説明するための説明図。
【図４】本発明に従う眼内レンズの製造方法における光学系の設定工程の別態様を説明するための説明図。
【図５】本発明の実施例としての眼内レンズの半断面の説明図。
【図６】比較例としての眼内レンズの半断面の説明図。
【発明を実施するための形態】
【００２６】
以下、本発明の実施形態について、図面を参照しつつ説明する。
【００２７】
先ず、図１〜２には、本発明の一実施形態としてのフォールダブルタイプの眼内レンズ１０が示されている。この眼内レンズ１０は、光学部１２と一対の支持部１４，１４を含んで構成されている。
【００２８】
より詳細には、光学部１２は、正面視が円形を呈する略ディスク形状とされている。この光学部１２によって、人の眼の水晶体の代替機能を果たす光学特性を備えたレンズ領域が構成されている。また、光学部１２は、その前面（角膜側の面）１６と後面（網膜側の面）１８の各形状に応じた光学特性を有しており、本実施形態では、光学部前面１６と光学部後面１８が何れも球状凸面とされることで、凸レンズ形状の光学部１２とされている。
【００２９】
さらに、光学部１２の外周端縁がエッジ部２０とされている。このエッジ部２０は、光学部前面１６の外周端縁である前面エッジ２２と光学部後面１８の外周端縁である後面エッジ２４が接続されることにより構成されている。これらの前後面エッジ２２，２４は、眼内レンズ１０の厚さ方向（図２中の上下方向）において略直線的に接続されており、これにより光学部１２が略ディスク形状とされている。
【００３０】
また、本実施形態の支持部１４，１４は、光学部１２におけるエッジ部２０の互いに径方向で対向位置する二箇所から互いに外周の反対方向に向かって延び出して、光学部１２と一体形成されている。そして、各支持部１４，１４は、光学部１２の周方向に湾曲して延びており、各先端部分が自由端とされている。なお、各支持部１４，１４の厚さ寸法（図２中の上下方向）は、エッジ部２０の厚さ寸法、即ち前面エッジ２２と後面エッジ２４との離隔距離と略等しくされている。ここにおいて、本発明では、支持部１４の構造は特に限定されるものではなく、従来公知の構造が採用され得ることから、図１，２では支持部１４を２点鎖線で示す。
【００３１】
このような構造とされた眼内レンズ１０は、白内障等の治療に際して、水晶体が除去された後の水晶体嚢内に、折り畳まれた形状で挿入される。そして、眼内レンズ１０の挿入後においては、眼内レンズ１０の形状が復帰して、支持部１４，１４の外周側縁部が水晶体嚢の赤道部を含む周縁部分に当接しつつ、光学部１２が水晶体嚢内の中央の所定位置に保持されることとなる。
【００３２】
ところで、このように光学部１２と支持部１４，１４を有する眼内レンズ１０は、フォールダブルタイプの眼内レンズを与えるのに十分な可視光線の透過率を備えていることに加えて、優れた軟質性と或る程度の弾性を備えた各種の材料によって形成されることとなる。好ましくは、１００％歪み割線弾性率が０．１〜５．０ＭＰａである軟質材が採用される。蓋し、１００％歪み割線弾性率が０．１ＭＰａより小さいと眼内レンズが軟らかくなり過ぎて、嚢内挿入状態において、眼内レンズの形状が十分に維持されないおそれがあるからである。一方、１００％歪み割線弾性率が５．０ＭＰａより大きいと眼内レンズが硬くなり過ぎて、嚢内挿入時に眼内レンズを折り畳むことが困難になるおそれがあるからである。また、好適には、ガラス転移温度が３０℃以下で、且つ、屈折率が１．５１以上である軟質材料で形成される。
【００３３】
このような軟質材料を採用することにより、常温下で眼内レンズ１０を容易に折り畳んだり巻き上げたりといった曲げ変形が可能とされて、眼内レンズ１０を一層コンパクトにすることが可能となることから、埋植時における嚢内への挿入を一層容易に行うことが出来る。特に、本実施形態では、光学部１２と支持部１４，１４が軟質材で一体的に形成されていることから、眼内レンズ１０が一層コンパクトに折り畳まれ得て、挿入時の切開創を小さくすることができる。
【００３４】
具体的には、眼内レンズ１０の成形材料としては、従来から眼内レンズに用いられる公知の軟質材が何れも採用可能であるが、その中でも、形状回復性に優れた眼内レンズを得るために、以下（ｉ）に示す如き（メタ）アクリル酸エステルを、一種又は二種以上含むモノマーを採用することが望ましい。また、以下（ｉｉ）に示す如き任意モノマーが適宜に配合される。更に、必要に応じて、以下（ｉｉｉ）に示す如き添加物が必要に応じて加えられる。
【００３５】
（ｉ）含有モノマー
以下の如き、直鎖状，分岐鎖状又は環状のアルキル（メタ）アクリレート類；
メチル（メタ）アクリレート、エチル（メタ）アクリレート、ブチル（メタ）アクリレート、シクロヘキシル（メタ）アクリレート等
以下の如き、水酸基含有（メタ）アクリレート類；
ヒドロキシエチル（メタ）アクリレート、ヒドロキシブチル（メタ）アクリレート、ジエチレングリコールモノ（メタ）アクリレート等
以下の如き、芳香環含有（メタ）アクリレート類；
フェノキシエチル（メタ）アクリレート、フェニル（メタ）アクリレート、フェニルエチル（メタ）アクリレート等
以下の如き、シリコン含有（メタ）アクリレート類；
トリメチルシロキシジメチルシリルメチル（メタ）アクリレート、トリメチルシロキシジメチルシリルプロピル（メタ）アクリレート等
なお、「（メタ）アクリレート」とは、「・・・アクリレート」並びに「・・・メタクリレート」の二つの化合物を総称するものであり、後述するその他の（メタ）アクリル誘導体についても同様とする。
【００３６】
（ｉｉ）任意モノマー
以下の如き、（メタ）アクリルアミドまたはその誘導体；
（メタ）アクリルアミド、Ｎ，Ｎ−ジメチル（メタ）アクリルアミド等
以下の如き、Ｎ−ビニルラクタム類；
Ｎ−ビニルピロリドン等
スチレンまたはその誘導体
以下の如き、架橋性モノマー；
ブタンジオールジ（メタ）アクリレート、エチレングリコールジ（メタ）アクリレート
【００３７】
（ｉｉｉ）添加物
熱重合開始剤、光重合開始剤、光増感剤等
色素等
紫外線吸収剤等
【００３８】
また、このようなモノマー材料を用いて、眼内レンズ１０を一体成形するに際しては、従来から公知の各種手法が何れも採用可能であり、例えば切削加工成形法やモールド成形法によって目的とする眼内レンズ１０を得ることが出来る。切削加工成形法によれば、上述の如きモノマー材料からなる所定の重合成分を重合して棒状やブロック状，板状等の適当な形状のレンズブランクスを成形した後、旋盤等を用いて、かかるレンズブランクスに対して切削加工を施すことにより、所望形状の眼内レンズ１０を得ることが出来る。また、モールド成形法によれば、目的とする眼内レンズ１０の形状に対応した成形キャビティを有する成形型を用いて、上述の如きモノマー材料からなる所定の重合成分を、その成形キャビティ内に導入し、そこで適当な重合操作を実施することによって、所望形状の眼内レンズ１０を得ることが出来る。特に、本実施形態では、光学部１２と支持部１４，１４が一体形成されることから、眼内レンズ１０が一層容易に形成され得る。なお、モノマー材料の重合方法としては、モノマー材料に応じて、従来から公知の熱重合方法や光重合方法、或いはそれらを組み合わせた重合方法等が適宜に採用される。
【００３９】
このような軟質材からなる光学部１２は、その外径寸法φＤを、４．５〜７．５ｍｍとされることが好ましく、より好適には５．０〜７．０ｍｍとされる。蓋し、光学部１２は、人の水晶体としての機能を有効に果たし得るのに必要なサイズが要求される。それに加えて、人の水晶体嚢のサイズが略一定であることから、光学部１２の外径寸法が７．５ｍｍより大きいと、眼内レンズの挿入に際して、折り畳んだり巻き上げた時のサイズを充分にコンパクト化し難くなったり、支持部１４，１４が短くなり過ぎて眼内レンズの挿入後に水晶体嚢内で光学部１２を保持し難くなるおそれがある。
【００４０】
ここにおいて、光学部前後面１６，１８が略球状凸面とされた本実施形態の眼内レンズ１０では、角膜側から入射する光線が、内周側に屈折させられて眼内レンズ１０を通過して網膜側へ出射する。そして、スネルの法則に従う光線追跡によれば、光学部前面１６の入射光線の入射位置に比して、光学部後面１８の出射光線の出射位置は、レンズ材の屈折率と光学部前後面１６，１８の傾斜角度に応じた距離だけ、レンズ光軸に接近してレンズ内周側へ変位せしめられる。それ故、光学部１２の外周縁部である前面エッジ２２から入射する光線は、光学部前面１６で屈折するから、光学部後面１８では外周縁部である後面エッジ２４よりも内周側を通過することとなる。即ち、光学部前後面１６，１８が同一外径寸法とされた眼内レンズ１０では、光学部後面１８の外周縁部分は、入射光線が通過せず、光学部前面１６からの入射光に対して有効な光学作用を及ぼさない。従って、光学部前面１６は、その全面が有効光学部前面とされている一方、光学部後面１８は、その外周縁部を除いた中央部分の所定領域が有効光学部後面２６とされている。この有効光学部後面２６は、光学部１２と同心の円形とされており、その外径寸法φαは、光学部１２の外径寸法φＤに比して小さくなっている。
【００４１】
そして、有効光学部後面２６が、光学部前面１６と協働して目的とする光学作用を発揮し得る形状の球状凸面とされている。また、光学部１２の後面１８における有効光学部後面２６よりも外周側には、有効光学部後面２６の外周端縁２７と後面エッジ２４との間に広がる円環形状の接続面２８が設けられている。
【００４２】
ここにおいて、図２に示されているように、有効光学部後面２６の外周端縁２７は後面エッジ２４よりも光学部前面１６側に位置しており、接続面２８の実質的に全体が後面エッジ２４よりも光学部前面１６側に凹んだ面形状とされている。これにより、光学部後面１８の外周縁部分が、有効光学部後面２６の外周端縁２７に沿って全周に亘ってのびる凹溝状とされている。なお、本実施形態では、かかる接続面２８が、有効光学部後面２６の外周端縁２７と後面エッジ２４を光学部後面１８側に凸形状となる曲線で接続せしめた構造とされているが、例えば光学部後面１８側に凹形状となる曲線や円弧状以外の曲線、直線で接続した形状等であってもよい。
【００４３】
また、このように接続面２８が後面エッジ２４から外周端縁２７に向かってレンズ前面側へ向かって傾斜していることにより、後面エッジ２４におけるエッジ角度を９０度よりも小さくすることができる。これにより、眼内レンズ１０の後面エッジ２４を水晶体嚢内面に食い込ませるように保持せしめて、後発白内障に対する抑制効果を得ることも可能とされている。
【００４４】
なお、本実施形態では、光学部１２における厚さ寸法の最小値が０．１０〜０．５０ｍｍとされている。具体的には、光学部１２の外周縁部であるエッジ部２０において、光軸方向（図２中の上下方向）での厚さ寸法の最小値がＴ（図２参照）とされている。かかる厚さ寸法Ｔは、好適には０．１０ｍｍ≦Ｔ≦０．５０ｍｍとされており、より好ましくは０．１５ｍｍ≦Ｔ≦０．４５ｍｍとされている。蓋し、Ｔが０．１０ｍｍ以上とされることにより、光学部１２における各支持部１４，１４の接続部分の強度が十分に確保され得るからである。また、Ｔが０．５０ｍｍ以下とされることにより、眼内レンズ１０の厚さ寸法が抑えられて、折り曲げや湾曲変形されやすくなり、眼内レンズ挿入のための切開創も小さくできる。
【００４５】
次に、本実施形態の眼内レンズ１０の製造方法の具体例を図３を示して説明する。なお、眼内レンズ１０は、光学部１２の中心に対して回転対称形状であることから、図３では図２の右半分のみを示す。
【００４６】
先ず、図３（ａ）に示されているように、設計のベースとなる光学部形状として、目的とする光学特性が設定された一般的な従来構造の両凸形の眼内レンズ１０’を仮定的に採用する。そして、このベースの光学部形状の眼内レンズ１０’において、前面エッジ２２に入射する光線について光線追跡を行う。即ち、かかる眼内レンズ１０’では、角膜側から入射された光線が、光学部１２’を通過して網膜側に出射せしめられる。この入射光線は、人眼の角膜から瞳孔を通じて眼内に入射されるものであり、光学部１２’の前面１６側から、有効光学部前面の外周端縁である前面エッジ２２上の点Ｆに入射される光線を想定する。
【００４７】
なお、光学部前面への入射光線の入射角度や光学部後面における出射光線の位置や出射角度などは、例えば一般的な人眼の基準データとして従来から公知のグルストランド（Ｇｕｌｌｓｔｒａｎｄ）等の模型眼データを採用して、予め設定された材質等の光学特性を有する眼内レンズ挿入時の光線追跡計算を実施して算出することができる。また、光学設計ソフトウェアとしては、Ｒａｄｉａｎｔ  Ｚｅｍａｘ社製「Ｚｅｍａｘ  Ｖｅｒ．１２  Ｒ２  ＳＰ２  ＥＥエディション」等が採用され得る。
【００４８】
このようにして求めた入射光線は、図３（ａ）に示されているように、光学部前面１６で屈折されて光学部後面１８’側へ向かい、光学部後面１８’において後面エッジ２４上の点Ｂよりも内周側に到達することとなる。更に、かかる入射光線は、光学部後面１８’で更に屈折されて眼の網膜側へと出射される。
【００４９】
次に、図３（ｂ）に示されているように、上述の如く想定した光線上で、光学部前面１６からの光軸方向の距離が、光学部１２’のレンズ最小厚みであるエッジ部２０の長さ寸法Ｔと等しくなる点Ｑを求める。
【００５０】
続いて、図３（ｃ）に示されているように、上記点Ｑを、光学部後面１８における有効光学部後面２６の外周端縁２７として、光学部後面１８を設定する。具体的には、ベースとされた眼内レンズ１０’の光学部後面１８’を光軸方向で光学部前面１６側へ平行移動させて、点Ｑを、平行移動させた光学部後面１８上に位置するようにする。そして、かかる点Ｑを、有効光学部後面２６の外周端縁２７に設定する。即ち、点Ｑより外周側は、点Ｑと後面エッジ２４を円弧等の湾曲面や直線で接続した断面形状を有する非光学面としての接続面２８とする。
【００５１】
上述の如き工程により眼内レンズ１０の光学部１２の形状が決定されたら、例えば切削加工成形法やモールド成形法等の従来公知の成形方法に従う機械的な加工工程等を経て、目的とする眼内レンズ１０を製造することが出来る。
【００５２】
このようにして製造された眼内レンズ１０では、有効光学部前面の前面エッジ２２上の点Ｆに比して有効光学部後面２６の外周端縁２７上の点Ｑが内周側に位置しており、有効光学部前面の外径寸法φＤに比して、有効光学部後面２６の外径寸法φαが小さく設定されている。
【００５３】
そして、瞳孔からの入射光線の経路上に有効光学部後面２６の外周端縁２７を設けることにより、光学部１２における有効光学径を維持しつつ、有効光学部前面の外径寸法に比して有効光学部後面２６の外径寸法を小さくすることができる。特に、有効光学部後面２６の小径化により、光学部１２の最小厚さ寸法を確保しつつ、光学部１２の前後面１６，１８の有効光学径が同じにされた従来構造の眼内レンズに比して、光学部後面１８’を光軸方向で光学部前面１６側へ平行移動させることで、光学部１２の最大厚さ寸法（Ｃ．Ｔ．）を小さくすることができる。その結果、光学部１２の屈曲や曲げ等の変形が容易とされて、眼内レンズ１０の眼内への挿入時において、切開創を小さくすることができて、患者の負担も軽減され得る。
【００５４】
次に、図４には、眼内レンズの製造方法の別の態様が示されている。なお、以下の説明において、前記実施形態と同一の部材または部位については、図中に、前記実施形態と同一の符号を付すことにより詳細な説明を省略する。
【００５５】
本実施形態は、光学部１２における有効光学部後面２６の外周端縁２７上におけるレンズ厚さ寸法Ｔを設定するに際して、図３に示された前記実施形態を簡易的に行う一つの態様を示すものである。即ち、前記実施形態では、例えば光線上の各点におけるレンズ厚さ寸法Ｔを直接に求めて、目的とする最小厚さ寸法Ｔとなる位置を求める演算が必要であったが、本実施形態では、有効光学部後面２６の外周端縁２７上におけるレンズ厚さ寸法Ｔを、簡易的に、光学部前面１６の外周縁部Ｆからの光路上の距離と見なすことで、有効光学部後面２６の外周端縁２７の位置Ｒを求めるものである。
【００５６】
具体的には、図４（ａ）において、前記図３（ａ）と同様に光線を想定した後、図４（ｂ）に示されているように、光学部前面１６から光学部１２への光線入射位置となる光学部前面１６の外周縁部Ｆを起点として、光線上で、目的とするレンズ厚さ寸法Ｔとなる位置Ｒを求める。この演算は、例えばレンズ内への入射光線を表す式と、点Ｆを中心とした半径Ｔの円を表す式との連立解として求めることが容易である。
【００５７】
図４（ｃ）に示されているように、上述の如くして求めた点Ｒを、有効光学部後面２６の外周端縁２７に設定して、前記図３（ｃ）と同様に光学部後面１８’を光軸方向で光学部前面１６側へ平行移動させることにより、光学部後面１８の形状を設定する。
【００５８】
従って、本実施形態の製造方法によれば、光学部前後面１６，１８の形状を一層簡易に設定することが可能になる。しかも、入射光線の屈折角や有効光学部に設定されるレンズ最小厚Ｔが小さいことを考慮すると、本実施形態に従って設定されたレンズ厚さＴに含まれる誤差は十分に小さいと考えられる。なお、必要であれば、点Ｒの位置を求めるに際して、点Ｆを中心とした円の半径としてＴに補正値を加えた値を採用することで、かかる誤差を軽減することも可能である。
【実施例】
【００５９】
本実施例の眼内レンズとして、上記の図３に示された本発明方法に従って、図５に示されている有効光学部前面３２の外径寸法φβが光学部１２の外径寸法φＤより小さい眼内レンズ３４を試作した。一方、比較例として、図６に示されている従来構造の眼内レンズ３６を試作した。
【００６０】
なお、本実施例の眼内レンズ３４は、比較例の眼内レンズ３６を基準として設計したものであり、比較例の眼内レンズ３６は、光学部前後面１６’，１８’がそれぞれ全面に亘って有効光学部とされている。また、前記実施形態では、光学部前面１６の全面が有効光学部前面とされていたが、本実施例の眼内レンズ３４では、有効光学部前面３２の外径寸法φβが光学部１２の外径寸法φＤより小さくされており、有効光学部前面３２の外周側に円環状の非光学面が設けられている。なお、図５，６では支持部の図示を省略する。
【００６１】
具体的には、本実施例の眼内レンズ３４では、最大瞳孔径等を考慮して必要とされる光学径φβを求めて有効光学部前面３２を設計することにより、比較例の眼内レンズ３６における光学部前面１６’と同じ光学部の外径寸法φＤを確保しつつ、有効光学部前面３２の径寸法を比較例の眼内レンズ３６より小さく設定した。そして、有効光学部前面３２の外周端縁と前面エッジ２２との間の領域を、有効光学部前面３２の外周に広がる円環状の前面接続面３８とした。なお、かかる前面接続面３８は、光軸に略直交する平坦面形状とした。
【００６２】
また、眼内レンズ３４の眼内挿入時において、角膜側からの光線として有効光学部前面３２の外周端縁上の点Ｓから光学部１２を通過する光線を想定して、光線追跡計算を行った。なお、一般的な人眼の基準データとしてグルストランドの模型眼データを採用すると共に、光学設計ソフトウェアとしてはＲａｄｉａｎｔ  Ｚｅｍａｘ社製「Ｚｅｍａｘ  Ｖｅｒ．１２  Ｒ２  ＳＰ２  ＥＥエディション」を採用した。
【００６３】
かかる光線追跡計算により入射光線の経路を決定して、前記図３に示した方法に従い、かかる経路上において、有効光学部後面２６の外周端縁２７上の点Ｒ’が位置するように点Ｒ’を特定した。これにより、光軸方向において、エッジ部２０の厚さ寸法Ｔ’と、光学部前面１６と点Ｒ’との離隔距離が等しくなるようにした。得られた有効光学部後面２６は、比較例の眼内レンズ３６の光学部後面１８’を光軸方向に平行移動させて、点Ｒ’が平行移動後の光学部後面１８上に位置するようにしたものである。
【００６４】
また、レンズ後面において有効光学部後面２６の外周側に位置する後面接続面４０は、図５の断面図に示されているように、有効光学部後面２６の外周端縁２７と後面エッジ２４を接続する円弧状部と直線状部とを連設させた断面形状とした。この後面接続面４０の円弧状部は、同じ径方向位置における光学部前面１６と等しい形状とすると共に、直線状部は前面接続面３８と等しい径方向幅寸法とした。これにより、光学部１２における有効光学部後面２６の外周端縁２７からエッジ部２０までの領域において、レンズ前面とレンズ後面との形状を平行として、この領域における光軸方向の厚さ寸法を一定（Ｔ’）とした。なお、この後面接続面４０は、光軸方向において後面エッジ２４より後面側（図中の下方）へは突出していない。
【００６５】
ここで、本実施例の眼内レンズ３４を設計するに際して基準とした、比較例の眼内レンズ３６の各寸法等は以下の通りである。規格パワー：＋３４Ｄ、レンズ材料屈折率：１．５２、光学部外径φＤ：６．０ｍｍ、エッジ厚みＴ’：０．４ｍｍ、前面頂点曲率半径：６．２３４ｍｍ、前面非球面コーニック定数：−０．１００、後面曲率半径：−４０．０００ｍｍ、中心厚（Ｃ．Ｔ．）：１．２７７ｍｍ。
【００６６】
そして、上記設計方法により設計された本実施例の眼内レンズ３４の各寸法等は以下の通りである。規格パワー：＋３４Ｄ、レンズ材料屈折率：１．５２、光学部外径φＤ：６．０ｍｍ、エッジ厚みＴ’：０．４ｍｍ、前面頂点曲率半径：６．２３４ｍｍ、前面非球面コーニック定数：−０．１００、後面曲率半径：−４０．０００ｍｍ、有効光学部前面の外径寸法φβ：５．８０ｍｍ、有効光学部後面の外径寸法φα：５．６８ｍｍ、中心厚（Ｃ．Ｔ．）：１．１８７ｍｍ。
【００６７】
かかる算出結果から、比較例の眼内レンズ３６の光学部外径寸法φＤに比して、本実施例の眼内レンズ３４では、必要とされる光学特性を確保しつつ、有効光学部前面３２の外径寸法φβおよび有効光学部後面２６の外径寸法φαが小径化できていることが分かる。それだけでなく、比較例に比して本実施例では、中心厚寸法（Ｃ．Ｔ）も小さくできていることが分かる。これにより、従来の眼内レンズ３６に比して、本実施例の眼内レンズ３４では体積を小さくすることができて、より小さい切開創で眼内レンズ３４を挿入することが可能とされている。
【００６８】
特に、本実施例の眼内レンズ３４は、光学部前面１６に対して、予め光学部１２より外径寸法の小さい有効光学部前面３２を設けて、この有効光学部前面３２の外周端縁を通過する入射光線の経路に基づいて有効光学部後面２６の外径寸法を算出している。この入射光線は光学部前面１６を通過することにより内周側に屈折せしめられるものであることから、有効光学部前面３２の外径寸法φβよりも有効光学部後面２６の外径寸法φαが小さくされる。それに加えて、例えば、前記実施形態の如き光学部前面１６が全面に亘って有効光学部前面とされている場合に比して、有効光学部後面２６の外径寸法φαを一層小さくすることができる。
【００６９】
なお、本実施例のように、光学部１２の外径寸法φＤに比して、有効光学部前面の外径寸法を小さく設定する際において、かかる外径寸法の設定方法は何等限定されるものではない。例えば、光学部１２の外径寸法φＤの大きさに拘らず一定の値が採用されてもよいし、入射光線の入射角度や最大外径を考慮して適宜設定されてもよい。また、人眼の基準データとして、本実施例の如きグルストランド等の模型眼のデータを採用してもよいし、具体的な患者のデータを採用してもよい。更に、患者のデータを採用する場合にも、患者毎のデータから、その患者に応じて有効光学部前面の外径寸法を設定してもよいし、複数の患者のデータから統計的に有効光学部前面の外径寸法を設定してもよい。
【００７０】
以上、本発明の実施形態および実施例について詳述してきたが、本発明はその具体的な記載によって限定されない。例えば、前記実施形態および前記実施例では、有効光学部後面２６の外周端縁２７における厚さ寸法が、エッジ部２０における厚さ寸法と略等しくされていたが、かかる態様に限定されず、有効光学部後面２６の外周端縁２７における厚さ寸法に比して、エッジ部２０における厚さ寸法を大きくしてもよいし小さくしてもよい。即ち、前記実施形態の接続面２８や前記実施例の前後面接続面３８，４０の形状は何等限定されるものではなく、エッジ部２０の形状に応じて適宜設定され得る。なお、エッジ部２０の厚さ寸法は、眼内レンズの折り畳みやすさ等を考慮して適切な値が採用され得る。
【００７１】
また、前記実施形態の眼内レンズ１０は、一対の支持部１４，１４が光学部１２と一体形成されたシングルピースタイプとされていたが、各支持部１４，１４が光学部１２とは別体で形成されて後固着されることにより形成される別ピースの構造とされていてもよい。
【００７２】
更にまた、光学部への入射光線を想定して光学部後面の外周端縁を設定するに際して、想定する角膜側からの入射光線は、施術対象の眼球を含む眼光学系を考慮して設定され得る。具体的には、例えば、角膜側から光学部１２の前面１６に至る入射光線を、角膜径や瞳孔最大径から求めた、光軸と平行な光線として簡易的に設定することも可能である。前述のようにグルストランド等の模型眼データを採用して、かかるデータに対して角膜や眼内組織による屈折を考慮した入射光線を設定してもよいし、具体的な患者の眼の測定データから演算により求めることも可能である。
【符号の説明】
【００７３】
１０，３４：眼内レンズ、１２：光学部、１４：支持部、２６：有効光学部後面、３２：有効光学部前面
【図１】
2015051069.tif 000003
【図２】
2015051069.tif 000004
【図３】
2015051069.tif 000005
【図４】
2015051069.tif 000006
【図５】
2015051069.tif 000007
【図６】
2015051069.tif 000008